(57)【要約】  【課題】除霜時の消費電力を低減した上で、冷却器および除霜ヒータの省スペース化が実現する冷却器を提供する。  【解決手段】貯蔵室を形成する断熱箱体である冷蔵庫本体１００内に配設された冷却器１２０は冷却管１２１とフィン１２３とからなり少なくとも最下段に位置する冷却管に前記フィンが形成されていない裸管部１２１ｃを有し、冷却器１２０の下方に配設された除霜用の輻射ヒータと、前記輻射ヒータへの除霜水の接触を防止するヒータカバーとからなり、前記冷却器は、最下段に位置する前記冷却管に前記ヒータカバーを密着固定して、除霜効率の向上を図る。【選択図】図１
2007155200.tif 000002
【特許請求の範囲】
【請求項１】
貯蔵室を形成する断熱箱体内に配設され冷却管と前記冷却管に備えられたフィンとを有する冷却器であって、前記冷却器は少なくとも最下段に位置する冷却管には前記フィンを有さない裸管部を有し、前記冷却器の下方に配設された除霜用の除霜ヒータと、前記除霜ヒータへの除霜水の接触を防止するヒータカバーとからなり、前記冷却管の前記裸管部に前記ヒータカバーが固定されている冷却器。
【請求項２】
ヒータカバーは、上下方向に貫通する溝が形成されている請求項１に記載の冷蔵庫搭載の冷却器。
【請求項３】
輻射ヒータが二重管式のラジアントヒータである請求項１または２に記載の冷却器。
【請求項４】
冷却管の裸管部は、冷却管の全長に対して、略中間点を含む請求項１から３のいずれか一項に記載の冷却器。
【請求項５】
前面を開口した断熱箱体内に複数の貯蔵室を区画形成し、冷凍サイクルの圧縮機が最下部の第一の貯蔵室の後方以外の領域に配設され、少なくとも前記第一の貯蔵室の背面に前記第一の貯蔵室とは区画された冷却室を設け、前記冷却室内に請求項１から４のいずれか一項に記載の冷却器を収納した冷蔵庫。
【請求項６】
前面を開口した断熱箱体内に複数の貯蔵室を区画形成し、冷凍サイクルの圧縮機が最下部の第一の貯蔵室及び前記第一の貯蔵室の上部に断熱仕切壁で区画された第二の貯蔵室の後方以外の領域に配設され、前記第一の貯蔵室の背面と前記第二の貯蔵室の背面とにまたがって上下方向に配置され前記第一の貯蔵室及び前記第二の貯蔵室とは仕切壁で区画された冷却室を設け、前記冷却室の内部に、請求項１から４のいずれか一項に記載の冷却器を収容した冷蔵庫。
【発明の詳細な説明】
【技術分野】
【０００１】
本発明は、除霜用のヒータを配設した冷却器およびこの冷却器を備えた冷蔵庫に関するものである。
【背景技術】
【０００２】
近年、冷蔵庫における省エネが市場において強く求められる中、除霜用ヒータの消費電力も見直されようしている。また、冷凍サイクル中の冷媒は、フロンガスによるオゾン層破壊や地球温暖化問題に対応するため、従来使用されていたハイドロフルオロカーボン（ＨＦＣ）から、オゾン層の破壊がなく、地球温暖化係数の低いイソブタン（Ｒ６００ａ）など炭化水素系冷媒（以下、「ＨＣ冷媒」という。）への切換え採用が進んでいる。
【０００３】
このＨＣ冷媒、例えばイソブタンは可燃性冷媒であることから、冷媒漏れを生じた場合には火花などで引火し火災に発展する可能性があり、ＨＣ冷媒を使用する冷蔵庫では、電気部品やリレーなどの接点、除霜ヒータの発熱などにより着火して発火する可能性があるため、様々な防爆対応が考えられている。
【０００４】
このような従来からの除霜ヒータの省エネ性や安全性に関わる問題点を解消する目的のために、冷却器と除霜ヒータの構成について改善を図った冷蔵庫が提案されている（例えば、特許文献１参照）。
【０００５】
加えて、従来の冷蔵庫は、最下部に配設された貯蔵室の庫外側後方領域に機械室を形成し、この機械室内に冷凍サイクルの圧縮機を収容するものが一般的であるが、このような構成であると、機械室に最下部の貯蔵室の収納スペースが侵害されて収納容積が減少し、また収納スペースの空間形状も機械室の突出部を除いた複雑な形状となって収納性がよくないものとなっていた。これに対し、断熱箱体の貯蔵室内最上部の後背部が下がるように窪ませた凹部を設け、その凹部に冷凍サイクルの圧縮機などの高圧側の構成機器を収納するという冷蔵庫が提案されており、冷却器および除霜用ヒータの収納スペースは奥行き方向に薄く、かつ高さ方向を低く制限し、貯蔵室の収納量を大きく確保した冷蔵庫が提案されている（例えば、特許文献２参照）。
【０００６】
図９は、特許文献１に記載された従来の冷蔵庫の冷却器周辺の拡大断面図を示すものである。
【０００７】
図９に示すように、長尺の冷却管１２に所定ピッチでアルミニウムの薄肉小片からなるフィン１３を積重ねて嵌入し、その後冷却管を蛇行曲折して各貯蔵室内の背面幅に対応する所定幅とフィンの奥行き寸法と曲折による高さ寸法を有する直方体としたものである。
【０００８】
フィン１３は冷却管１２の直管部のみに配設しており、パイプ端部の曲成部には、冷却管の上下に亙る比較的厚肉の短冊状の剛体からなる端板１５を配置し、この端板１５に穿設した嵌入孔１５ａを曲成部に合致させるとともに、両側から冷却管１２とフィン１３部を挟持固定することで冷却器８を形成している。
【０００９】
端板１５は、フィン１３の最下縁からさらに下方に延設しており、延設部の両端板間には冷却器８の霜取りをおこなう除霜ヒータ１６を架設するように構成する。
【００１０】
輻射ヒータ１６と冷却器８のフィン最下端部との間には、ヒータカバー２３を配置する。ヒータカバー２３は、輻射ヒータ１６の上方部を保護するとともに、除霜時に冷却器８に付着した霜が融解し水滴となって落下する際、高温のガラス管１７の表面に触れて蒸発音を発生させないためのものであり、輻射ヒータ１６と同様に、端板１５に形成したスリット状の係止溝１５ｃに側方から嵌め込んで保持している。
【００１１】
なお、ヒータカバー２３は、前述した冷却器８の組立時に蛇行成形した冷却管１２およびフィン１３とともに端板１５間に挟み込んで固定すればよく、その断面形状は、フィン１３から落下してくる除霜水を受けて下方の排水樋２５へ流れ易くするように山形に形成するとともに、中央の頂部近傍の斜面部には、庫内幅方向に亙って開口する複数のスリット２３ａを穿設している。
【００１２】
ここで、除霜動作に入ると、発熱した輻射ヒータ１６により生じた暖気と輻射の効果により、まずヒータカバー２３を加熱し、さらにスリット２３ａを通って冷却器８を加熱する。
【００１３】
また、暖気により加熱されたヒータカバー２３からの熱伝導により、端板１５が加熱されることでも除霜が促進される。
【００１４】
図１０は、特許文献２に記載された従来の冷蔵庫の縦断面図を示すものである。
【００１５】
図１０に示すように、断熱箱体１は、上から順に、冷蔵室２、冷凍室３、野菜室４を有し、冷蔵室２の前面開口には、冷蔵室回転扉５を設けている。また、断熱箱体１の中央から下方部に位置する冷凍室３と野菜室４は収納性と使い勝手を考慮して、簡易に取り出しが行える引き出しタイプの冷凍室引き出し扉６と野菜室引き出し扉７を設けてある。冷蔵室２の庫内には複数の収納棚８が設けられており、冷凍室３と野菜室４には上面開口形状の収納容器９ａ，９ｂが取り付けてある。この収納容器９ａ，９ｂは前後方向のレール（図示せず）に、ローラで前後方向へ移動可能に支持されている。
【００１６】
断熱箱体１に設けた凹部１０は、外箱上面１１と外箱背面１２に渡る天面後背部を冷蔵室２の最上部の後背部が下がるように窪ませた箇所である。凹部１０はその左右が断熱箱体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて断熱箱体１に取外し可能に固定されている。
【００１７】
冷凍サイクルの構成機器である圧縮機１６と凝縮器１７は機械室ファン１８と共に凹部１０内に収まるように配設され、上板１３と背板１４で構成された凹部カバー１５にて覆われている。
【００１８】
冷凍サイクルの構成機器である冷却器２０および除霜ヒータは冷凍室３の背面の限られたスペースに構成されている。
【特許文献１】特開２００４−１９０９５９号公報
【特許文献２】特開２００１−９９５５２号公報
【発明の開示】
【発明が解決しようとする課題】
【００１９】
しかしながら、上記従来の構成では、スリットを通過する暖気の影響により、主に輻射ヒータの表面温度の低減に有効であるが、除霜ヒータの有効活用による省エネ効果が充分でないという課題を有していた。
【００２０】
本発明は上記従来の課題を解決するもので、冷却管を積極的に過熱して冷却管の熱伝導および冷却管内の冷媒のサーモサイフォン効果の向上により、除霜時の消費電力を大幅に低減した冷蔵庫を提供することを目的とする。
【００２１】
また、上記従来の構成では、冷却器と除霜ヒータの距離を縮めるに至っておらず、限られた高さ空間内部に収納するには適していないという課題を有していた。
【００２２】
本発明は上記従来の課題を解決するもので、冷却器と除霜ヒータの総合高さを低く抑えることで、限られた空間への配置が可能となる。
【課題を解決するための手段】
【００２３】
上記従来の課題を解決する為に、本発明の冷蔵庫は、貯蔵室を形成する断熱箱体内に配設され冷却管と前記冷却管に備えられたフィンとを有する冷却器であって、前記冷却器は少なくとも最下段に位置する冷却管には前記フィンを有さない裸管部を有し、前記冷却器の下方に配設された除霜用の輻射ヒータと、前記輻射ヒータへの除霜水の接触を防止するヒータカバーとからなり、前記冷却管の前記裸管部に前記ヒータカバーが固定されているものである。
【００２４】
これによって、冷却管を積極的に過熱して冷却管の熱伝導が向上し、かつ冷却管内の冷媒のサーモサイフォン効果の向上が可能となるので、除霜時の消費電力を大幅に低減できる。
【００２５】
また、最下段に位置する前記冷却管に前記ヒータカバーが密着して固定されたことで、冷却器とヒータカバーの高さ寸法を圧縮することになり、冷却器および除霜ヒータの省スペース化が実現できることで、庫内の貯蔵室の容量をより広くすることができ、収納性を向上させることができる。
【発明の効果】
【００２６】
本発明の冷蔵庫は除霜時の消費電力を大幅に低減できるので、消費電力を低減した冷蔵庫を提供することができる。
【００２７】
また、収納性を向上させることができるので、使用者の使い勝手をより向上させることができる。
【発明を実施するための最良の形態】
【００２８】
請求項１に記載の発明は、貯蔵室を形成する断熱箱体内に配設され冷却管と前記冷却管に備えられたフィンとを有する冷却器であって、前記冷却器は少なくとも最下段に位置する冷却管には前記フィンを有さない裸管部を有し、前記冷却器の下方に配設された除霜用の輻射ヒータと、前記輻射ヒータへの除霜水の接触を防止するヒータカバーとからなり、前記冷却管の前記裸管部に前記ヒータカバーが固定されている。
【００２９】
これによって、冷却管を積極的に過熱して冷却管の熱伝導が向上し、かつ冷却管内の冷媒のサーモサイフォン効果が向上することになり、除霜時の消費電力を大幅に低減でき、消費電力を低減した冷蔵庫を提供することができる。
【００３０】
また、最下段に位置する前記冷却管に前記ヒータカバーが密着して固定されたことで、冷却器とヒータカバーの高さ寸法を圧縮することになり、冷却器および除霜ヒータの省スペース化が実現できることで、庫内の貯蔵室の容量をより広くすることができ、収納性を向上させることができるので、使用者の使い勝手をより向上させることができる。
【００３１】
請求項２に記載の発明は、請求項１に記載の発明に加えて、ヒータカバーは、上下方向に貫通する溝が形成されていることで、冷却時に上方向に流れる風を阻害することがなく、冷却性能の低下を抑制することができる。
【００３２】
請求項３に記載の発明は、請求項１または２に記載の発明に加えて、輻射ヒータが二重管式のラジアントヒータであることで、フィン最下端面から下方に霜が成長して、ガラス管が破損に至ったとしても、二重管であることから電熱線の露出を抑制することができ、安全性の確保が可能となる。
【００３３】
請求項４に記載の発明は、請求項１から３のいずれか一項に記載の発明に加えて、冷却管の裸管部は、冷却管の全長に対して、略中間点を含むことで、冷却管の裸管部が冷却器における冷媒の流れにおいて、略中間点に位置し、加熱された冷媒による対流伝達および冷却管の熱伝導は、裸管部の上流側にも下流側にもほぼ等しく伝達されることから、冷却器の均一な除霜が可能となる。
【００３４】
請求項５に記載の発明は、前面を開口した断熱箱体内に複数の貯蔵室を区画形成し、冷凍サイクルの圧縮機が最下部の第一の貯蔵室の後方以外の領域に配設され、少なくとも前記第一の貯蔵室の背面に前記第一の貯蔵室とは区画された冷却室を設け、前記冷却室内に請求項１から４のいずれか一項に記載の冷却器を収納したものであり、圧縮機が最下部の貯蔵室の領域外にあるため貯蔵室内を複雑な空間形状とならずに拡大して収納容積を増大し、収納性を高めて使い勝手を向上させることができた上で、最下段に位置する前記冷却管に前記ヒータカバーが密着して固定されたことで、冷却器とヒータカバーの高さ寸法を圧縮することになり、冷却器および除霜ヒータの省スペース化が実現できる。
【００３５】
請求項６に記載の発明は、前面を開口した断熱箱体内に複数の貯蔵室を区画形成し、冷凍サイクルの圧縮機が最下部の第一の貯蔵室及び前記第一の貯蔵室の上部に断熱仕切壁で区画された第二の貯蔵室の後方以外の領域に配設され、前記第一の貯蔵室の背面と前記第二の貯蔵室の背面とにまたがって上下方向に配置され前記第一の貯蔵室及び前記第二の貯蔵室とは仕切壁で区画された冷却室を設け、前記冷却室の内部に、請求項１から４のいずれか一項に記載の冷却器を収容したものであり、最下段に位置する前記冷却管に前記ヒータカバーが密着して固定されたことで、冷却器とヒータカバーの高さ寸法を圧縮することになり、冷却器および除霜ヒータの省スペース化が実現できる。
【００３６】
また、第一の貯蔵室のほぼ底部から第二の貯蔵室のほぼ天部までの二つの貯蔵室にまたがった背面のほぼ全高を上下方向に冷却器を収容する冷却室として活用することができるので、この冷却室の高さを生かして冷却器の高さ寸法を大きくするとともに冷却器の奥行き寸法を短縮させれば冷却能力を維持しながら冷却器の薄型化が図れる。その結果、冷却室の厚みを薄くすることができ、圧縮機が二つの貯蔵室の領域外にあるため二つの貯蔵室内を複雑な空間形状とならずに拡大して収納容積を増大し、収納性を高めて使い勝手を向上させることができる。
【００３７】
以下、本発明の実施の形態について、図面を参照しながら説明するが、従来例または先に説明した実施の形態と同一構成については同一符号を付して、その詳細な説明は省略する。
【００３８】
なお、この実施の形態によってこの発明が限定されるものではない。
【００３９】
（実施の形態１）
図１は本発明の実施の形態１における冷蔵庫の側面図である。図２は本発明の実施の形態１における要部構成図である。図３は本発明の実施の形態１における冷却器の正面図である。図４は本発明の実施の形態１における冷却器の側面図である。図５は本発明の実施の形態１における除霜ヒータ周辺部の拡大図である。
【００４０】
図１、図２、図３、図４、図５において、断熱箱体である冷蔵庫本体１００の天井部後方には、圧縮機１１０が配設されており、冷蔵庫本体１００内部には複数の貯蔵室が区画形成されており、最下部には第一の貯蔵室である冷凍室１０１が、冷凍室１０１の上部には第二の貯蔵室である野菜室１０２が区画形成されている。
【００４１】
ここで、冷凍サイクルには、イソブタンが封入されている。
【００４２】
冷却室１０３は、冷凍室１０１と野菜室１０２の後方に２つの貯蔵室にまたがるように区画形成されている。
【００４３】
ここで、本実施の形態のように圧縮機１１０を天井部後方に配置し、冷凍室１０１および野菜室１０２の奥行き寸法の拡大を図った冷蔵庫においては、冷却器１２０は、奥行き方向の寸法規制もさることながら、高さ寸法に対しても可能な限りのサイズダウンが要求される。
【００４４】
冷却器１２０は、冷却室１０３内に配設されたクロスフィンコイルであり、主に、冷却管１２１と、アキュームレータ１２２と、フィン１２３とから構成されている。
【００４５】
冷却管１２１は、アルミ管を千鳥形状に蛇行させている。上部に位置する入口管１２１ａから流入した冷媒が熱交換した後、出口管１２１ｂから流出することになる。ここで、冷却器１２０の最下部に位置する裸管部１２１ｃは、冷却管１２１の全長に対して、略中間点を含む部分に位置しており、冷媒の流れにおいてほぼ中央に位置し、冷媒の流れは反転して上昇することになる。
【００４６】
アキュームレータ１２２は、冷却器１２０の冷媒の流れ方向において下流側に位置し、冷却器１２０の上部に配設されている。
【００４７】
フィン１２３は、冷却管１２１が貫通して上下方向に構成されたアルミプレートである。
【００４８】
ここで、フィン１２３の下方端は、裸管部１２１ｃの上部に位置し、冷却管１２１の最下段にはフィンを有しない裸管部１２１ｃを有している。なお、フィンを有しない裸管部とは、フィン群の中にあるフィン相互間の裸管表面のことを指すのでなく、複数のフィンで形成される一定のフィン群が設けられていない連続した裸管表面をいう概念である。
【００４９】
除霜ヒータ１３０は、冷却器１２０の下方に配設された輻射熱（放射熱）による加熱を主体とする輻射ヒータである二重管式のラジアントヒータであり、主にヒータ本体１３１と、ゴムブッシュ１３２と、ヒータカバー１３３とから構成されている。
【００５０】
ヒータ本体１３１は、二重管式のラジアントヒータであり、両端に配設されたゴムブッシュ１３２が配設されている。
【００５１】
ヒータカバー１３３はアルミ製プレートを山型に加工したものであり、本実施の形態においては、約１０°の傾きで上方に突き出した山型形状としており、支持部１３３ａにより裸管部１２１ｃに密着するように係止されている。
【００５２】
ここで、ヒータカバー１３３の両端がゴムブッシュ１３２に埋設するように取付けられている。
【００５３】
つまり、除霜ヒータ１３０は、支持部１３３ａを介して冷却器１２０に一体化されており、従来の技術にくらべて、冷却器１２０と除霜ヒータ１３０の総合高さが低減されている。
【００５４】
サーミスタ１４０は、デフロストの制御を行うための温度検知手段であり、本実施の形態においては、アキュームレータ１２２に密着固定されている。
【００５５】
以上のように構成された冷蔵庫について、以下その動作、作用を説明する。
【００５６】
まず、冷却運転により、冷却器１２０全体が着霜して行く。ここで、ヒータカバー１３３は、支持部１３３ａにより裸管部１２１ｃに密着固定されているので、冷却管１２１やフィン１２３と同様に着霜することになる。
【００５７】
この時、ヒータカバー１３３が着霜することで、異常事態を想定すれば、ヒータカバー１３３から下方に成長した霜がヒータ本体１３１に接触し、ガラス管が破損することが考えられるが、本実施の形態のように二重管式のラジアントヒータを採用することで、従来技術のように一重管ヒータを使用するのに比べて、電熱線の露出を抑制することができる。
【００５８】
ここで、本実施の形態においては、制御部（詳細の説明を省く）が圧縮機の積算運転時間によりデフロスト運転に突入すると、除霜ヒータ１３０に所定の電圧が印加される。
【００５９】
除霜ヒータ１３０に所定の電圧が印加されることで、ヒータの表面温度が上昇し、まず除霜ヒータ１３０の上方でかつ近傍に位置するヒータカバー１３３が、輻射と暖気の効果により最初に加熱されることになり、ヒータカバー１３３の表面に付着した霜が融解する。
【００６０】
この時、ヒータカバー１３３の下方に付着した霜は、ヒータカバー１３３のもつ約１０°の傾きにより、ヒータカバー１３３の下面を伝って下方端より垂直に落下することになる。
【００６１】
つまり、除霜中に融解した水がヒータ表面に接触することにより、異音が生じたりガラスが割れたりする問題を防止することができる。
【００６２】
さらに、ヒータカバー１３３に加えられた熱は、ヒータカバー１３３と裸管部１２１ｃが密着固定されていることで、効率良く熱伝達されるとともに、従来の技術に比べて、冷却器１２０と除霜ヒータ１３０の相対的距離が小さくなっており、輻射の効率も高められる。
【００６３】
これにより、裸管部１２１ｃを介して冷却管１２１の熱伝導により、冷却器１２０全体が下方より上方に向けて加熱されて効率良く除霜が行われる。
【００６４】
加えて、裸管部１２１ｃが加熱されることにより、内部の冷媒も加熱されることになり、加熱された冷媒の対流により、冷却器１２０の上部をすばやく加熱することができる。
【００６５】
つまり、裸管部１２１ｃの加熱を効率良く行うことで、冷却管１２１の熱伝導と管内対流の向上が図られ、除霜を効率良く行うことが可能となる。
【００６６】
ここで、本実施の形態においては、冷却管１２１の熱伝導の影響により、裸管部１２１ｃは、冷媒の流れにおいてほぼ中間に位置することから、冷却管の熱伝導と管内対流の効果は、入口管１２１ａと出口管１２１ｂの両方向に均等となることから、冷却器１２０全体が均一に除霜されることになる。
【００６７】
以上のように本実施の形態の冷蔵庫搭載の冷却器は、冷蔵庫本体１００内に配設され、冷却管１２１とフィン１２２とから裸管部１２１ｃにフィン１２２が形成されていない冷却器１２０と、冷却器１２０の下方に配設された除霜ヒータ１３０と、除霜ヒータ１３０への除霜水の接触を防止するヒータカバー１３３とからなり、冷却器１２０は、裸管部１２１ｃにヒータカバー１３３が密着して固定されているので、冷却管１２１の熱伝導と管内対流の向上が図られ、除霜を効率良く行うことが可能となる。
【００６８】
さらに、除霜ヒータ１３０が、二重管式のラジアントヒータであることにより、異常着霜時でも、二重の安全構造となっており、電熱線の露出を抑制することができる。
【００６９】
さらに、裸管部１２１ｃは、冷却器１２０における冷媒の流れにおいて、略中間点に位置することで、冷却管の熱伝導と管内対流の効果は、入口管１２１ａと出口管１２１ｂの両方向に均等となることから、冷却器１２０全体が均一に除霜されることになる。
【００７０】
さらに、圧縮機１１０が天井部後方に配置され、第一の貯蔵室である冷凍室１０１と第二の貯蔵室である野菜室１０２の後方に２つの貯蔵室にまたがるように区画形成された冷却室１０３内に、冷却器１２０と冷却器１２０と一体化された除霜ヒータ１３０を配設したことで、従来の技術に比べて冷却器１２０と除霜ヒータ１３０の総高さ寸法を低減したことにより、収納スペースの拡大が可能となる。
【００７１】
また、第一の貯蔵室である冷凍室１０１のほぼ底部から第二の貯蔵室である野菜室１０２のほぼ天部までの二つの貯蔵室にまたがった背面のほぼ全高を上下方向に冷却器１２０を収容する冷却室１０３として活用することができるので、この冷却室１０３の高さを生かして冷却器１２０の高さ寸法を大きくするとともに冷却器１２０の奥行き寸法を短縮させれば冷却能力を維持しながら冷却器１２０の薄型化が図れる。その結果、冷却室１０３の厚みを薄くすることができ、圧縮機１１０が冷凍室１０１および野菜室１０２の二つの貯蔵室の領域外にあるため二つの貯蔵室内を複雑な空間形状とならずに拡大して収納容積を増大し、収納性を高めて使い勝手を向上させることができる。
【００７２】
なお、本実施の形態では、冷凍室１０１および野菜室１０２二つの貯蔵室にまたがった背面のほぼ全高を上下方向に冷却器１２０を収容する冷却室１０３としたが、圧縮機が第一の貯蔵室である冷凍室１０１以外の領域にある冷蔵庫において、冷凍室１０１の背面のほぼ全高に冷却室１０３を備えることもでき、その場合では冷凍室１０１を複雑な空間形状とならずに拡大して収納容積を増大し、収納性を高めて使い勝手を向上させることができる。
【００７３】
（実施の形態２）
図６は本発明の実施の形態２における冷却器の正面図である。図７は本発明の実施の形態２における冷却器の側面図である。図８は本発明の実施の形態２における除霜ヒータ周辺部の拡大図である。
【００７４】
図６、図７、図８において、冷却器２２０は、冷却室１０３内に配設されたクロスフィンコイルであり、主に、冷却管２２１と、アキュームレータ２２２と、第１フィン２２３と、第２フィン２２４と、第３フィン２２５とから構成されている。
【００７５】
冷却管２２１は、アルミ管を千鳥形状に蛇行させている。上部に位置する入口管２２１ａから流入した冷媒が熱交換した後、出口管２２１ｂから流出することになる。ここで、冷却器２２０の最下部に位置する最下段冷却管２２１ｃは、冷媒の流れにおいてほぼ中央に位置し、冷媒の流れは反転して上昇することになる。
【００７６】
アキュームレータ２２２は、冷却器２２０の冷媒の流れ方向において下流側に位置し、冷却器２２０の上部に配設されている。
【００７７】
第１フィン２２３は、冷却管２２１が貫通して上下方向に構成されたアルミプレートである。
【００７８】
ここで、第１フィン２２３の下方端は、最下段冷却管２２１ｃの上部に位置し、最下段冷却管２２１ｃが貫通していない。
【００７９】
第２フィン２２４および第３フィン２２５は、最下段冷却管２２１ｃの上部に密着して固定されたハの字型に構成されたアルミ製のプレートであり。
【００８０】
ここで、第２フィン２２４上端部と第３フィン２２５の上端部は所定の隙間２２６を形成しており、空気通路が確保されている。
【００８１】
このとき、フィン高さの高い第３フィン２２５上端部は、フィン高さの低い第２フィン２２４の上端部と重なり合うように配設されており、本実施の形態において第３フィン２２５は１５°上方へ傾いた形状をしており、第２フィン２２４は１０°上方へ傾いた形状をしている。
【００８２】
つまり、上方から落下する除霜水が、第２フィン２２４と第３フィン２２５の間の隙間２２６を通り向けることを防止する構造となっている。
【００８３】
なお、本実施の形態では冷却管２２１と、第２フィン２２４および第３フィン２２５の密着固定は液圧拡管により行うことで組み立て性を向上させた。
【００８４】
以上のように構成された冷蔵庫について、以下その動作、作用を説明する。
【００８５】
まず、冷却運転により、第２フィン２２４および第３フィン２２５を含めて冷却器２２０全体が着霜して行く。
【００８６】
この時、所定の隙間２２６が形成されて、隙間２２６を風が流れることにより、冷却器２２０を流れる風の分布が均一となり、所定の冷却性能を確保し易い。
【００８７】
次に、本実施の形態においては、制御部（詳細の説明を省く）が圧縮機の積算運転時間によりデフロスト運転に突入すると、除霜ヒータ２３０に所定の電圧が印加される。
【００８８】
除霜ヒータ２３０に所定の電圧が印加されることで、ヒータの表面温度が上昇し、まず除霜ヒータ２３０の上方でかつ近傍に位置する第２フィン２２４および第３フィン２２５が、輻射と暖気の効果により最初に加熱されることになり、第２フィン２２４および第３フィン２２５の表面に付着した霜が融解する。
【００８９】
この時、第２フィン２２４および第３フィン２２５の下方に付着した霜は、それぞれのフィンがもつ傾きにより、下面を伝って下方端より垂直に落下することになる。
【００９０】
つまり、除霜中に融解した水がヒータ表面に接触することにより、異音が生じたりガラスが割れたりする問題を防止することができる。
【００９１】
さらに、第２フィン２２４および第３フィン２２５に加えられた熱は、第２フィン２２４および第３フィン２２５と最下段冷却管２２１ｃが密着固定されていることで、効率良く熱伝達されるとともに、従来の技術に比べて、冷却器１２０と除霜ヒータ２３０の相対的距離が小さくなっており、輻射の効率も高められる。
【００９２】
これにより、最下段冷却管２２１ｃを介して冷却管２２１の熱伝導により、冷却器２２０全体が下方より上方に向けて加熱されて効率良く除霜が行われる。
【００９３】
加えて、裸管部１２１ｃが加熱されることにより、内部の冷媒も加熱されることになり、加熱された冷媒の対流により、冷却器１２０の上部をすばやく加熱することができる。
【００９４】
さらに、除霜ヒータ２３０による暖気が、所定の隙間２２６を通過して第１フィン２２３の下端を過熱することで、暖気の対流により効率良く除霜が行われる。
【００９５】
つまり、裸管部１２１ｃの加熱を効率良く行うとともに、暖気の対流を冷却器２２０の上方へ伝えることで、冷却管１２１の熱伝導と管内対流の向上に加え暖気の対流の向上が図られ、除霜を効率良く行うことが可能となる。
【００９６】
以上のように本実施の形態の冷蔵庫は、冷蔵庫本体１００に配設され冷却管２２１と第１フィン２２３と最下段冷却管２２１ｃに配設された第２フィン２２４および第３フィン２２５冷却器２２０と、冷却器２２０の下方に配設された除霜ヒータ２３０とからなり、第２フィン２２４と第３フィン２２５は所定の隙間２２６を形成しており、空気通路が確保されているので、冷却管１２１の熱伝導と冷媒の対流とともに、暖気の対流の向上が図られ、除霜を効率良く行うことが可能となる。
【００９７】
さらに、第２フィン２２４と第３フィン２２５は所定の隙間２２６を形成しており、空気通路が確保されているので、冷却器２２０を流れる風の分布が均一となり、所定の冷却性能を確保し易い。
【産業上の利用可能性】
【００９８】
以上のように、本発明にかかる冷蔵庫搭載の冷却器は、除霜効率を向上させて省エネを図ることができるので、業務用冷蔵庫の用途にも適用できる。
【図面の簡単な説明】
【００９９】
【図１】本発明の実施の形態１による冷蔵庫の側面図
【図２】本発明の実施の形態１による冷蔵庫の要部構成図
【図３】本発明の実施の形態１による冷却器の正面図
【図４】本発明の実施の形態１による冷却器の側面図
【図５】本発明の実施の形態１による除霜ヒータ周辺部の拡大図
【図６】本発明の実施の形態２による冷却器の正面図
【図７】本発明の実施の形態２による冷却器の側面図
【図８】本発明の実施の形態２による除霜ヒータ周辺部の拡大図
【図９】従来の冷蔵庫の冷却器周辺の拡大断面図
【図１０】従来の冷蔵庫の縦断面図
【符号の説明】
【０１００】
１００  冷蔵庫本体
１０１  冷凍室
１０２  野菜室
１１０  圧縮機
１２０  冷却器
１２１  冷却管
１２１ｃ  裸管部
１２３  フィン
１３０  除霜ヒータ
１３３  ヒータカバー
２２０  冷却器
２２１  冷却管
２２３  第１フィン
２２４  第２フィン
２２５  第３フィン
２２６  所定の隙間
【図１】
2007155200.tif 000003
【図２】
2007155200.tif 000004
【図３】
2007155200.tif 000005
【図４】
2007155200.tif 000006
【図５】
2007155200.tif 000007
【図６】
2007155200.tif 000008
【図７】
2007155200.tif 000009
【図８】
2007155200.tif 000010
【図９】
2007155200.tif 000011
【図１０】
2007155200.tif 000012